(57)【要約】【課題】撮像投影システムにおいて、一度表示した画像を再度表示する場合に、一度表示した画像を保存しておき、原稿ではなく保存データを表示する方法があるが、誤操作等、意図しない画像も全て保存してしまうという課題があった。【解決手段】再表示用画像を保存する為の条件を定めることにより、再表示の際の適切な画像選択の操作性を効率化した。保存する条件は、表示時間や操作の有無であり、ユーザが特に意図しなくとも、より適切な画像が抽出できる仕組みとなっている。【選択図】    図１
2006129427.tif 000002
【特許請求の範囲】
【請求項１】
書画装置にて撮影した原稿を撮影画像データとして保存しておき、同原稿を再度投影する場合、前記保存した前記撮影画像データを使用し、原稿を再度撮影する必要の無い構成を取る撮像投影システムにおいて、
前記保存を自動で行う自動保存手段と、
前記自動保存実行の是非を判断する判断手段と、を有することを特徴とする撮像投影システム。
【請求項２】
撮像装置にて撮影した画像をコンピュータに取り込みプロジェクタにより投影させる撮像投影システムにおいて、
撮像装置にて撮影した画像を撮影画像データとしてコンピュータ内の記憶媒体へ第１の保存を行う画像保存手段と、
現在撮影中の撮影画像が所定の選択保存条件に適合するか判断する判断手段と、
前記画像保存手段で保存した撮影画像とは別に、前記判断手段において前記選択保存条件に適合した撮影画像を、前記コンピュータ内の記憶媒体へ第２の保存を行う選択保存手段と、を有することを特徴とする撮像投影システム。
【請求項３】
前記第１の保存を記憶する記憶装置が、コンピュータ内のメモリ若しくはＨＤＤ、又はプロジェクタ内のメモリ若しくはＨＤＤであることを特徴とする請求項２記載の撮像投影システム。
【請求項４】
撮像装置にて撮影した画像を撮影画像データとしてプロジェクタ内の記憶媒体へ第１の保存を行う画像保存手段と、
現在撮影中の撮影画像が所定の選択保存条件に適合するか判断する判断手段と、
前記画像保存手段で保存した撮影画像とは別に、前記判断手段において前記選択保存条件に適合した撮影画像を、前記プロジェクタ内の記憶媒体へ第２の保存を行う選択保存手段と、を有することを特徴とする撮像投影システム。
【請求項５】
撮像装置にて撮影した画像を撮影画像データとしてコンピュータ内の記憶媒体へ第１の保存を行う画像保存手段と、
現在撮影中の撮影画像が所定の選択保存条件に適合するか判断する判断手段と、
前記画像保存手段で保存した撮影画像から、前記判断手段において前記選択保存条件に適合した撮影画像を、前記コンピュータ内の記憶媒体へ転送し第２の保存を行う選択保存手段と、を有することを特徴とする撮像投影システム。
【請求項６】
撮像装置にて撮影した画像をコンピュータを介してプロジェクタで投影する撮像投影システムにおいて、
撮像装置にて撮影した画像を撮影画像データとしてコンピュータ内の記憶媒体へ第１の保存を行う画像保存手段と、
現在撮影中の撮影画像が所定の選択保存条件に適合するか判断する判断手段と、
前記判断手段において前記選択保存条件に適合した撮影画像を、前記コンピュータ内の記憶媒体へ第２の保存を行う選択保存手段と、
離れた位置から前記コンピュータの操作を可能にすると共に表示した画像の一部をポインティングする遠隔操作手段と、を有する撮像投影システム。
【請求項７】
撮像装置にて撮影した画像をコンピュータを介してプロジェクタで投影する撮像投影システムにおいて、
撮像装置にて撮影した画像を撮影画像データとしてコンピュータ内の記憶媒体へ第１の保存を行う画像保存手段と、
現在撮影中の撮影画像が所定の選択保存条件に適合するか判断する判断手段と、
前記判断手段において前記選択保存条件に適合した撮影画像を、前記コンピュータ内の記憶媒体へ第２の保存を行う選択保存手段と、
離れた位置から前記プロジェクタの操作を可能にすると共に表示した画像の一部をポインティングする遠隔操作手段と、を有する撮像投影システム。
【請求項８】
前記選択保存条件は、撮影画像をスクリーンに表示する表示時間が設定以上であることを特徴とする請求項１から５の何れかに記載の撮像投影システム。
【請求項９】
前記選択保存条件は、ユーザのプロジェクタの操作有無の検出であることを特徴とする請求項１から５の何れかに記載の撮像投影システム。
【請求項１０】
前記選択保存条件は、ユーザのポインタの操作有無の検出であることを特徴とする請求項６又は７に記載の撮像投影システム。
【請求項１１】
書画装置にて撮影した原稿を撮影画像データとして保存しておき、同原稿を再度投影する場合、前記保存した前記撮影画像データを使用し、原稿を再度撮影する必要の無い構成を取る撮像投影システムの撮影画像の保存方法において、
前記保存を自動で行う自動保存工程と、
前記自動保存実行の是非を判断する判断工程と、を有することを特徴とする撮影画像の保存方法。
【請求項１２】
撮像装置にて撮影した画像をコンピュータに取り込みプロジェクタにより投影させる撮影画像の保存方法において、
撮像装置にて撮影した画像を撮影画像データとしてコンピュータ内の記憶媒体へ第１の保存を行う画像保存工程と、
現在撮影中の撮影画像が所定の選択保存条件に適合するか判断する判断工程と、
前記画像保存工程で保存した撮影画像とは別に、前記判断工程において前記選択保存条件に適合した撮影画像を、前記コンピュータ内の記憶媒体へ第２の保存を行う選択保存項工程と、を有することを特徴とする撮影画像の保存方法。
【請求項１３】
撮像装置にて撮影した画像を撮影画像データとしてプロジェクタ内の記憶媒体へ第１の保存を行う画像保存工程と、
現在撮影中の撮影画像が所定の選択保存条件に適合するか判断する判断工程と、
前記画像保存工程で保存した撮影画像とは別に、前記判断工程において前記選択保存条件に適合した撮影画像を、前記プロジェクタ内の記憶媒体へ第２の保存を行う選択保存工程と、を有することを特徴とする撮影画像の保存方法。
【請求項１４】
撮像装置にて撮影した画像を撮影画像データとしてコンピュータ内の記憶媒体へ第１の保存を行う画像保存工程と、
現在撮影中の撮影画像が所定の選択保存条件に適合するか判断する判断手段と、
前記画像保存工程で保存した撮影画像から、前記判断手段において前記選択保存条件に適合した撮影画像を、前記コンピュータ内の記憶媒体へ転送し第２の保存を行う選択保存工程と、を有することを特徴とする撮影画像の保存方法。
【請求項１５】
撮像装置にて撮影した画像をコンピュータを介してプロジェクタで投影する撮像投影システムの撮影画像の保存方法において、
撮像装置にて撮影した画像を撮影画像データとしてコンピュータ内の記憶媒体へ第１の保存を行う画像保存工程と、
現在撮影中の撮影画像が所定の選択保存条件に適合するか判断する判断工程と、
前記判断工程において前記選択保存条件に適合した撮影画像を、前記コンピュータ内の記憶媒体へ第２の保存を行う選択保存工程と、
離れた位置から前記コンピュータの操作を可能にすると共に表示した画像の一部をポインティングする遠隔操作工程と、を有する撮影画像の保存方法。
【請求項１６】
撮像装置にて撮影した画像をコンピュータを介してプロジェクタで投影する撮像投影システムの撮影画像の保存方法において、
撮像装置にて撮影した画像を撮影画像データとしてコンピュータ内の記憶媒体へ第１の保存を行う画像保存工程と、
現在撮影中の撮影画像が所定の選択保存条件に適合するか判断する判断工程と、
前記判断工程おいて前記選択保存条件に適合した撮影画像を、前記コンピュータ内の記憶媒体へ第２の保存を行う選択保存工程と、
離れた位置から前記プロジェクタの操作を可能にすると共に表示した画像の一部をポインティングする遠隔操作工程と、を有する撮影画像の保存方法。
【請求項１７】
少なくとも書画装置、スクリーンに表示させるプロジェクタ、コンピュータを有する書画システムの、コンピュータに実現させるためのプログラムにおいて、
書画装置にて撮影した原稿を撮影画像データとしてコンピュータ内の記憶媒体へ第１の保存を行わせる画像保存機能と、
現在撮影中の撮影画像が所定の選択保存条件に適合するか判断する判断機能と、
前記判断機能において前記選択保存条件に適合した撮影画像を、前記コンピュータ内の記憶媒体へ第２の保存を行わせる選択保存機能と、を有することを特徴とするプログラム。
【請求項１８】
前記選択保存条件が、撮影画像をスクリーンに表示させる表示時間が設定以上、又はユーザのプロジェクタ若しくはポインタの操作有無の検出、又はその両方であることを特徴とする請求項１７記載のプログラム。
【請求項１９】
前記第２の保存は、前記第１の保存に判断工程に適合した撮影画像に識別情報を付加したものであることを特徴とする、請求項２から１０の何れかに記載の撮像投影システム。
【発明の詳細な説明】
【技術分野】
【０００１】
本発明は、原稿や写真を撮影して投影し、一度表示した画像を電子データ化して保存する撮像投影システム及び撮影画像の保存方法及びプログラムに関するものである。
【背景技術】
【０００２】
近年、撮影画像投影装置として、ユーザが原稿台に載置した被写体としての書面資料をカメラで撮影して、カメラで撮影した書面資料の画像データをコンピュータの記憶装置に記憶して画像処理を行い、プロジェクタを用いてスクリーン上に書面資料の画像を拡大して投影するものがある。
その中で、原稿再撮影の手間を省く為に、表示した画像を保存、必要時に画像を呼び出して再表示させる方法がある（特許文献１参照）。
【特許文献１】特開２００３−２５９１８３号公報
【発明の開示】
【発明が解決しようとする課題】
【０００３】
その為上記先行例では、使用者が誤りで表示した等、意図しない画像も全て同一に保存するものであり、その為、再表示を行う際に、必要な画像を選択する場合の阻害要因になっており、手間が発生していた。
本発明は、再表示を行う際に、必要な画像を選択する時の手間を極力省くことのできる撮像投影システム及び撮影画像の保存方法及びプログラムを提供するものである。
【課題を解決するための手段】
【０００４】
請求項１記載の発明は、書画装置にて撮影した原稿を撮影画像データとして保存しておき、同原稿を再度投影する場合、前記保存した前記撮影画像データを使用し、原稿を再度撮影する必要の無い構成を取る撮像投影システムにおいて、前記保存を自動で行う自動保存手段と、前記自動保存実行の是非を判断する判断手段と、を有することを特徴とする撮像投影システムである。
【０００５】
このように、請求項１記載の発明によれば、原稿の保存是非を自動で判断し、保存実行も自動で行う為、従来に比べて判断手段が増えても、簡便に操作可能となる。
【０００６】
請求項２記載の発明は、撮像装置にて撮影した画像をコンピュータに取り込みプロジェクタにより投影させる撮像投影システムにおいて、撮像装置にて撮影した画像を撮影画像データとしてコンピュータ内の記憶媒体へ第１の保存を行う画像保存手段と、現在撮影中の撮影画像が所定の選択保存条件に適合するか判断する判断手段と、前記画像保存手段で保存した撮影画像とは別に、前記判断手段において前記選択保存条件に適合した撮影画像を、前記コンピュータ内の記憶媒体へ第２の保存を行う選択保存手段と、を有することを特徴とする撮像投影システムである。
【０００７】
このように、請求項２記載の発明によれば、撮像投影システムは、少なくとも書画装置と投影装置で構成されており、全ての画像データを保存する第１の保存と、条件に適合した画像を分別保存する第２の保存を行うものとしている。
【０００８】
請求項３記載の発明は、前記第１の保存を記憶する記憶装置が、コンピュータ内のメモリ若しくはＨＤＤ、又はプロジェクタ内のメモリ若しくはＨＤＤであることを特徴とする請求項２記載の撮像投影システムである。
【０００９】
このように、請求項３記載の発明によれば、画像データの保存場所がコンピュータ内のメモリ若しくはＨＤＤ、又はプロジェクタ内のメモリ若しくはＨＤＤであってもよい。
【００１０】
請求項４記載の発明は、撮像装置にて撮影した画像を撮影画像データとしてプロジェクタ内の記憶媒体へ第１の保存を行う画像保存手段と、現在撮影中の撮影画像が所定の選択保存条件に適合するか判断する判断手段と、前記画像保存手段で保存した撮影画像とは別に、前記判断手段において前記選択保存条件に適合した撮影画像を、前記プロジェクタ内の記憶媒体へ第２の保存を行う選択保存手段と、を有することを特徴とする撮像投影システムである。
【００１１】
このように、請求項４記載の発明によれば、書画装置ではなく撮像装置にすることで、立体構造物を撮影することも可能になる。また、第１、第２の保存共に、プロジェクタ内に行っている。
【００１２】
請求項５記載の発明は、撮像装置にて撮影した画像を撮影画像データとしてコンピュータ内の記憶媒体へ第１の保存を行う画像保存手段と、現在撮影中の撮影画像が所定の選択保存条件に適合するか判断する判断手段と、前記画像保存手段で保存した撮影画像から、前記判断手段において前記選択保存条件に適合した撮影画像を、前記コンピュータ内の記憶媒体へ転送し第２の保存を行う選択保存手段と、を有することを特徴とする撮像投影システムである。
【００１３】
このように、請求項５記載の発明によれば、第２の保存は、第１の保存から転送されるものである。
【００１４】
請求項６記載の発明は、撮像装置にて撮影した画像をコンピュータを介してプロジェクタで投影する撮像投影システムにおいて、撮像装置にて撮影した画像を撮影画像データとしてコンピュータ内の記憶媒体へ第１の保存を行う画像保存手段と、現在撮影中の撮影画像が所定の選択保存条件に適合するか判断する判断手段と、前記判断手段において前記選択保存条件に適合した撮影画像を、前記コンピュータ内の記憶媒体へ第２の保存を行う選択保存手段と、離れた位置から前記コンピュータの操作を可能にすると共に表示した画像の一部をポインティングする遠隔操作手段と、を有する撮像投影システムである。
【００１５】
このように、請求項６記載の発明によれば、撮像投影システムは表示画像の一部をポインティング可能な、コンピュータの遠隔操作手段を有するとしている。
【００１６】
請求項７記載の発明は、撮像装置にて撮影した画像をコンピュータを介してプロジェクタで投影する撮像投影システムにおいて、
撮像装置にて撮影した画像を撮影画像データとしてコンピュータ内の記憶媒体へ第１の保存を行う画像保存手段と、
現在撮影中の撮影画像が所定の選択保存条件に適合するか判断する判断手段と、
前記判断手段において前記選択保存条件に適合した撮影画像を、前記コンピュータ内の記憶媒体へ第２の保存を行う選択保存手段と、
離れた位置から前記プロジェクタの操作を可能にすると共に表示した画像の一部をポインティングする遠隔操作手段と、を有する撮像投影システムである。
【００１７】
このように、請求項７記載の発明によれば、撮像投影システムは表示画像の一部をポインティング可能な、プロジェクタの遠隔操作手段を有するとしている。
【００１８】
請求項８記載の発明は、前記選択保存条件は、撮影画像をスクリーンに表示する表示時間が設定以上であることを特徴とする請求項１から５の何れかに記載の撮像投影システムである。
【００１９】
このように、請求項８記載の発明によれば、選択保存条件は、撮影画像をスクリーンに表示する表示時間が設定以上であることをである。
【００２０】
請求項９記載の発明は、前記選択保存条件は、ユーザのプロジェクタの操作有無の検出であることを特徴とする請求項１から５の何れかに記載の撮像投影システムである。
【００２１】
このように、請求項９記載の発明によれば、選択保存条件は、ユーザのプロジェクタの操作有無の検出である。
【００２２】
請求項１０記載の発明は、前記選択保存条件は、ユーザのポインタの操作有無の検出であることを特徴とする請求項６又は７に記載の撮像投影システムである。
【００２３】
このように、請求項１０記載の発明によれば、前記選択保存条件は、ユーザのポインタの操作有無の検出である。
【００２４】
請求項１１記載の発明は、書画装置にて撮影した原稿を撮影画像データとして保存しておき、同原稿を再度投影する場合、前記保存した前記撮影画像データを使用し、原稿を再度撮影する必要の無い構成を取る撮像投影システムの撮影画像の保存方法において、前記保存を自動で行う自動保存工程と、前記自動保存実行の是非を判断する判断工程と、を有することを特徴とする撮影画像の保存方法である。
【００２５】
このように、請求項１１記載の発明によれば、原稿の保存是非を自動で判断し、保存実行も自動で行う為、従来に比べて判断手段が増えても、簡便に操作可能となる。
【００２６】
請求項１２記載の発明は、撮像装置にて撮影した画像をコンピュータに取り込みプロジェクタにより投影させる撮影画像の保存方法において、撮像装置にて撮影した画像を撮影画像データとしてコンピュータ内の記憶媒体へ第１の保存を行う画像保存工程と、現在撮影中の撮影画像が所定の選択保存条件に適合するか判断する判断工程と、前記画像保存工程で保存した撮影画像とは別に、前記判断工程において前記選択保存条件に適合した撮影画像を、前記コンピュータ内の記憶媒体へ第２の保存を行う選択保存項工程と、を有することを特徴とする撮影画像の保存方法である。
【００２７】
このように、請求項１２記載の発明によれば、撮像投影システムは、少なくとも書画装置と投影装置で構成されており、全ての画像データを保存する第１の保存と、条件に適合した画像を分別保存する第２の保存を行うものとしている。
【００２８】
請求項１３記載の発明は、撮像装置にて撮影した画像を撮影画像データとしてプロジェクタ内の記憶媒体へ第１の保存を行う画像保存工程と、現在撮影中の撮影画像が所定の選択保存条件に適合するか判断する判断工程と、前記画像保存工程で保存した撮影画像とは別に、前記判断工程において前記選択保存条件に適合した撮影画像を、前記プロジェクタ内の記憶媒体へ第２の保存を行う選択保存工程と、を有することを特徴とする撮影画像の保存方法である。
【００２９】
このように、請求項１３記載の発明によれば、書画装置ではなく撮像装置にすることで、立体構造物を撮影することも可能になる。
【００３０】
請求項１４記載の発明は、撮像装置にて撮影した画像を撮影画像データとしてコンピュータ内の記憶媒体へ第１の保存を行う画像保存工程と、現在撮影中の撮影画像が所定の選択保存条件に適合するか判断する判断手段と、前記画像保存工程で保存した撮影画像から、前記判断手段において前記選択保存条件に適合した撮影画像を、前記コンピュータ内の記憶媒体へ転送し第２の保存を行う選択保存工程と、を有することを特徴とする撮影画像の保存方法である。
【００３１】
このように、請求項１４記載の発明によれば、第２の保存は、第１の保存から転送されるものである。
【００３２】
請求項１５記載の発明は、撮像装置にて撮影した画像をコンピュータを介してプロジェクタで投影する撮像投影システムの撮影画像の保存方法において、撮像装置にて撮影した画像を撮影画像データとしてコンピュータ内の記憶媒体へ第１の保存を行う画像保存工程と、現在撮影中の撮影画像が所定の選択保存条件に適合するか判断する判断工程と、前記判断工程において前記選択保存条件に適合した撮影画像を、前記コンピュータ内の記憶媒体へ第２の保存を行う選択保存工程と、離れた位置から前記コンピュータの操作を可能にすると共に表示した画像の一部をポインティングする遠隔操作工程と、を有する撮影画像の保存方法である。
【００３３】
このように、請求項１５記載の発明によれば、撮像投影システムは表示画像の一部をポインティング可能な、コンピュータの遠隔操作手段を有するとしている。
【００３４】
請求項１６記載の発明は、撮像装置にて撮影した画像をコンピュータを介してプロジェクタで投影する撮像投影システムの撮影画像の保存方法において、撮像装置にて撮影した画像を撮影画像データとしてコンピュータ内の記憶媒体へ第１の保存を行う画像保存工程と、現在撮影中の撮影画像が所定の選択保存条件に適合するか判断する判断工程と、前記判断工程おいて前記選択保存条件に適合した撮影画像を、前記コンピュータ内の記憶媒体へ第２の保存を行う選択保存工程と、離れた位置から前記プロジェクタの操作を可能にすると共に表示した画像の一部をポインティングする遠隔操作工程と、を有する撮影画像の保存方法である。
【００３５】
このように、請求項１６記載の発明によれば、撮像投影システムは表示画像の一部をポインティング可能な、プロジェクタの遠隔操作手段を有するとしている。
【００３６】
請求項１７記載の発明は、少なくとも書画装置、スクリーンに表示させる投影装置、コンピュータを有する書画システムの中で、コンピュータ内において実行可能なプログラムにおいて、書画装置にて撮影した原稿を撮影画像データとしてコンピュータ内の記憶媒体へ第１の保存を行わせる画像保存機能と、現在撮影中の撮影画像が所定の選択保存条件に適合するか判断する判断機能と、前記判断機能において前記選択保存条件に適合した撮影画像を、前記コンピュータ内の記憶媒体へ第２の保存を行わせる選択保存機能と、を有することを特徴とするプログラムである。
【００３７】
このように、請求１７記載の発明によれば、撮像投影システムは、少なくとも書画装置と投影装置で構成されており、全ての画像データを保存する第１の保存と、条件に適合した画像を分別保存する第２の保存を行うものとしている。
【００３８】
請求項１８記載の発明は、前記選択保存条件が、撮影画像をスクリーンに表示させる表示時間が設定以上、又はユーザのプロジェクタ若しくはポインタの操作有無の検出、又はその両方であることを特徴とする請求項１７記載のプログラムである。
【００３９】
このように、請求項１８記載の発明によれば、選択保存条件が、撮影画像をスクリーンに表示させる表示時間が設定以上、又はユーザのプロジェクタ若しくはポインタの操作有無の検出、又はその両方であることとしている。
【００４０】
請求項１９記載の発明は、前記第２の保存は、前記第１の保存に判断工程に適合した撮影画像に識別情報を付加したものであることを特徴とする、請求項２から１０の何れかに記載の撮像投影システムである。
【００４１】
このように、請求項１９記載の発明によれば、前記第２の保存は、前記第１の保存に判断工程に適合した撮影画像に識別情報を付加したものであるとしているので、同じ画像を２重に保存する必要が無くなる為、データ記憶容量を節約することが出来る。
【発明の効果】
【００４２】
本発明によれば、一度撮影した画像を電子データ化して保存し、再度同じ画像を投影する場合に、保存の条件を設定して、条件に見合った画像データを自動的に分別使用出来る。
【発明を実施するための最良の形態】
【００４３】
（第１実施例）
（システムの構成  −  図１の説明）
以下、本発明の第１実施例を図に従って説明する。図１は、本発明による画像保存システムを含む撮像投影システムの構成図である。
【００４４】
この撮像投影システムは、プロジェクタ１と、ノート型パーソナルコンピュータ（以下、ＰＣ）２と書画装置３とレーザーポインタ４（以下、ポインタ４）とによって構成されている。プロジェクタ１とＰＣ２は画像データを転送する為のＲＧＢケーブル１００と、釦押下情報を転送する為のＵＳＢケーブル３００を介して接続されており、ＰＣ２と書画装置３はＵＳＢケーブル２００を介して接続されており、ポインタ４とプロジェクタ１は無線通信で接続されており、釦４０１の押下等の検出により、使用者はＰＣ２とプロジェクタ１の遠隔操作が可能となっている。
【００４５】
プロジェクタ１は、投影レンズ等の光学系が収容された投影部１ａが本体正面に設けられた構造であって、ＰＣ２から送られたドキュメント等の画像に応じた投射光を投影部１ａからスクリーンＳ（又はホワイトボード等）に投射する。また、プロジェクタ１にはポインタ４が付属しており、例えばスクリーンＳへの投影画像の一部を指し示すポインタ手段以外に、無線リモートコントロールユニットとしての遠隔操作手段を有しており、それを用いることにより、離れた場所のＰＣ２とプロジェクタ１の遠隔操作が可能となっている。
【００４６】
書画装置３は、イメージスキャナを図示するが、デジタルカメラであってもよい。そして、本実施の形態の撮像投影システムにおいては、書面原稿等の書面資料Ａ、あるいは各種の立体資料を設置し、それを書画装置３によって撮影すると共に、撮影した画像をＰＣ２を介してプロジェクタ１に送ることにより、書面資料Ａ等がスクリーンＳに投影できるようになっている。
【００４７】
投影した画像の一部を指し示す為に、ポインタ４が付属している。このポインタ４には釦４０１がついており、この釦４０１により、表示する画像を遠隔操作できる。
【００４８】
（プロジェクタの構成  −  図２の説明）
一方、図２は、上記撮像投影システムにおける、主としてプロジェクタ１とＰＣ２との電気的構成の概略を示すブロック図である。
【００４９】
プロジェクタ１は、ＣＰＵ１１、ＲＯＭ１２、ＲＡＭ１３、画像入力部１４、表示部１５、キー入力部１６、無線信号受信部１７を備えている。ここで使用する無線信号は、例えばBluetoothであっても良いし、赤外線であっても良い。画像入力部１４には、前記ＲＧＢケーブル１００が接続されたＲＧＢ信号の入力端子１８が接続されており、ＰＣ２から入力した入力画像信号（ＲＧＢ信号）に基づき、画像を投影するための表示信号を生成し表示部１５へ送る。ここで、ポインタ４よりの信号を受信する無線信号受信部１７はプロジェクタ１内にあるとしたが、書画装置３やＰＣ２内部、若しくはこれらより独立して別体に構成されていても構わない。
【００５０】
表示部１５は、クリプトンランプ等の光源、及び光源の光を、入力表示信号に応じた投影光に変換するための液晶やマイクロミラーアレイ等の画像変換素子、その画像変換素子を、画像入力部１４から送られた表示信号に基づき駆動する駆動回路、前記投影部１ａに設けられている投影レンズ等の光学系を含み、ＰＣ２から送られた画像データに基づく表示画像をスクリーンＳに投影する。
【００５１】
ＣＰＵ１１は、ＲＯＭ１２に格納されているプログラムに従いＲＡＭ１３を作業用メモリとして動作し、プロジェクタ１の操作を行うために用意された複数の操作キーにより構成されており、無線信号受信部１７は、前述したポインタ４から送られた無線を受信し、それにコード化されている操作信号をデコードしてＣＰＵ１１へ送る。
【００５２】
また、ＣＰＵ１１には図示しないＵＳＢインターフェイス回路が接続されており、そこに設けられているＵＳＢ接続端子１９に前記ＵＳＢケーブル３００が接続されている。そしてポインタ４の操作信号は、ＵＳＢケーブル３００を介してＰＣ２へ出力する。
【００５３】
（ＰＣの構成  −  図２の説明）
一方、ＰＣ２は、ＣＰＵ２１と、ＲＡＭ２２、記憶装置２３、入力装置２４、ビデオアダプタ２５、ＶＲＡＭ２６、表示装置２７を備えている。
【００５４】
ビデオアダプタ２５は、表示用のビデオ信号（ＲＧＢ信号）を生成し、ＬＣＤ及びその駆動回路等からなる前記表示装置２７に出力し、ＶＲＡＭ２６は、ビデオアダプタ２５が生成した表示用の画像データを随時記憶する。また、ビデオアダプタ２５には、前記ＲＧＢケーブル１００が接続されたＲＧＢ出力端子２８が設けられており、ビデオアダプタ２５は、ＣＰＵ２１の命令に応じて表示用の画像データをＲＧＢケーブル１００を介してプロジェクタ１へ出力する。
【００５５】
また、ＣＰＵ２１には図示しないＵＳＢインターフェイス回路が接続されており、そこに設けられているＵＳＢ接続端子２９に前記ＵＳＢケーブル２００、ＵＳＢ接続端子３０にＵＳＢケーブル３００が接続されている。そして書画装置３により撮影された撮影画像のデータは、ＵＳＢケーブル２００を介して、プロジェクタ１より、ポインタの釦押下情報が、ＵＳＢケーブル３００を介して、ＰＣ２に入力される。
【００５６】
入力装置２４は、ＰＣ２本体に設けられた複数のキーや、本体に接続されたマウス等であり、記憶装置２３は記憶容量の比較的大きなＨＤＤ（Hard Disk Drive）等である。前記記憶装置２３には、プレゼンテーション用のドキュメントの作成・編集を行うための所定のプレゼンテーション・プログラムや、後述する撮影画像に対する各種の画像処理を行うための画像処理プログラム、及びビデオアダプタ２５に、表示装置２７に上記ドキュメントや画像等を表示させるための表示用の画像データや、プロジェクタ１に出力する画像データを生成させるための画像表示プログラム等が格納されている。
ＲＡＭ（Random Access Memory）２２はＰＣ２のメインメモリであり、半導体素子を利用した記憶装置である。
【００５７】
そして、ＰＣ２においては、ＣＰＵ２１が上記画像処理プログラムに基づき動作することにより本発明の画像処理手段をして機能する。
【００５８】
（書画装置の構成  ―  図３の説明）
図３は、主として書画装置３の電気的構成を示すブロック図である。書画装置３は、前記書面資料Ａ等を撮像する画像素子であるＣＣＤ３１と、ＤＳＰ（Digital  Signal  Processor）／ＣＰＵ３２を有している。ＣＣＤ３１は、図示しないフォーカスレンズ、及びズームレンズ等の光学系を介して結像された被写体の光学像を光電変換し、被写体の光学像に応じたアナログの撮像信号を出力する。
【００５９】
ＤＳＰ／ＣＰＵ３２は、ＪＰＥＧ方式による画像データの圧縮・伸張を含むデジタル信号処理を行うとともに書画装置３の各部を制御するワンチップマイコンである。ＤＳＰ／ＣＰＵ３２には、ＣＣＤ３１を駆動するＴＧ（Timing  Generator）３３が接続され、ＴＧ３３には、ＣＣＤ３１から出力される撮像信号が入力するユニット回路３４が接続されている。ユニット回路３４は、相関二重サンプリングによりＣＣＤ３１の出力信号等のノイズを除去するＣＤＳ回路、ノイズが除去された撮像信号を増幅するゲイン調整用アンプ（ＡＧＣ）、増幅後の撮像信号をデジタル信号に変換するＡ／Ｄ変換器（ＡＤ）から構成されており、ＣＣＤ３１の出力信号は、ユニット回路３４にてデジタル信号に変換されＤＳＰ／ＣＰＵ３２に送られる。
【００６０】
また、ＤＳＰ／ＣＰＵ３２には、レンズ駆動部３５、ＵＳＢインターフェイス３６、キー入力部３７、液晶モニタ３８が接続されるとともに、アドレス・データバス３９を介してＤＲＡＭ４０、内蔵フラッシュメモリ４１が接続されている。また、ＵＳＢインターフェイス３６には外部機器接続コネクタ４２が接続されており、これを通じてＵＳＢケーブル２００により、ＰＣ２へと接続されている。
【００６１】
レンズ駆動部３５は、前記フォーカスレンズ及びズームレンズのそれぞれを光軸方向に駆動するためのステッピングモータ、及びそれらをＤＳＰ／ＣＰＵ３２から送られる制御信号に応じて駆動するためのステッピングモータ、及びそれらをＤＳＰ／ＣＰＵ３２から送られる制御信号に応じて駆動するモータドライバから構成される。キー入力部３７は、動作モードの切り替えキーや、拡大・縮小キー、メニューキー、シャッターキー等の各種キーを含み、使用者によるキー操作に応じた操作信号をＤＳＰ／ＣＰＵ３２に出力する。
【００６２】
液晶モニタ３８はＬＣＤとその駆動回路とを含み、操作補助用として、機能選択時の処理メニュー表示や設定用の図形若しくはアイコン等の表示を行う。
【００６３】
ＤＲＡＭ４０は、ＣＣＤ３１により撮像されデジタル化された被写体の画像データを一時記憶するバッファであるとともに、ＤＳＰ／ＣＰＵ３２のワーキングメモリとして使用される。そして、シャッターキーが押された撮影時には、ＤＲＡＭ４０に一時記憶された画像データが、ＤＳＰ／ＣＰＵ３２により圧縮され、最終的には所定のフォーマット（本実施の形態ではＪＰＥＧに準拠したフォーマット）の画像ファイルとしてＵＳＢＩ／Ｆ３６、外部機器接続コネクタ４２を通じて、ＰＣ２へと転送される。
【００６４】
内蔵フラッシュメモリ４１には、ＤＳＰ／ＣＰＵ３２に書画装置３の各部を制御させるための制御プログラムと、書画装置３の制御に使用される各種データが記憶されており、ＤＳＰ／ＣＰＵ３２は、上記制御プログラムに従い動作することにより本発明の取得手段、制御手段として機能する。
【００６５】
（専用アプリケーションの構成  ―  図４の説明）
一方、図４は、特に専用アプリケーションの機能ブロック図である。
本構成において、本アプリケーションは、図２ＰＣ２上の記憶装置２３に記憶されており、状況に応じて、一部ＲＡＭ２２に出力され、ＣＰＵ２１で実行される。
ＰＣ２の外部に関しては、上記した通りであり、ここでは専用アプリケーション５についてのみ説明する。
【００６６】
専用アプリケーション２１０は、書画装置３から入力された情報を、本アプリケーション上で使用できる形式に変換する書画装置ＩＦブロック２１１と、書画装置ＩＦブロック２１１により変換された画像データを、プロジェクタ１で投影するのに適した画像にする為に、歪み補正、回転、切り抜き、といった処理を行う画像処理ブロック２１２と、投影する画像をプロジェクタ１へ転送する形式に変換・出力を行う画像表示ブロック２１３と、画像処理ブロック２１２後の画像データを保存・管理・再利用する為の画像ファイル管理ブロック２１５と、レーザーポインタ４よりの無線信号を受信した信号の変換処理を行うレーザーポインタＩＦブロック２１４を持つ。
【００６７】
画像ファイル管理ブロック２１５は、画像処理ブロック２１２で処理された画像データを、必ず一度保存する一時保存フォルダ２１６と、その中で、再利用する可能性が高いと判断された画像データを複写保存するための、複写フォルダ２１７を持つ。
【００６８】
ここで一時保存フォルダ２１６と、複写フォルダ２１７は、一時的な処理を除いて、記憶装置２３内に有るとして良いが、一時保存フォルダ２１６と複写フォルダ２１７は、同じ記憶装置内に保存されている必要は無く、ＲＡＭ２２内等、別々の記憶装置内に有っても良い。又、プロジェクタ１内にあっても良いし、書画装置３内にあっても良く、それとは別に構成された、例えば外付けＨＤＤや、インターネットを通じて接続されたファイルサーバの様な外部記憶装置内に有っても良い。又、本実施例においてＰＣ２、プロジェクタ１に構成される記憶装置は図示したものに制限されず、例えばＰＣ２にＨＤＤやＵＳＢメモリを増設しても構わないし、プロジェクタ１にＳＤメモリカード、スマートメディア、コンパクトフラッシュ（登録商標）、メモリースティックの様な、カード形状の不揮発メモリを装着出来ても構わない。
【００６９】
（処理概略  ―  図５の説明）
次に、以上の構成からなる撮像投影システムの本発明に係る動作を説明する。図５は、図１に示した状態において、書画装置３での画像取り込みから、プロジェクタ１での画像投影までの特にＰＣ２内部処理について、その概略を示したフロチャートである。詳細機能については、他図に記載する。
【００７０】
書画装置３にて取得した画像データがＰＣ２へ送信され（ステップＳＡ１）、ＰＣ２が受信（ステップＳＡ２）、専用アプリケーション２１０で使用できる形式に変換したものについて、歪み補正（ステップＳＡ３）、回転（ステップＳＡ４）、切り抜き（ステップＳＡ５）等、のように、入力した画像をより良く表示出来るよう画像変換処理を行う。変換処理後、現状画像の一時保存命令を出力する（ＳＡ６、Ａ）。変換処理が終了した画像データは、表示モードが「現状」である場合のみ、画像データはＰＣ２上のＲＡＭ２２に一旦記録され、ＲＡＭ２２上の画像データは直ちにプロジェクタ１へ画像データ送信、投影される（ステップＳＡ７でＹＥＳ  →  ステップＳＡ８〜ＳＡ１０）。（なお、表示モードには、「現状」の他に、「複写」がある。「現状」モードとは、書画装置３より入力された画像データを、ＲＡＭ２２上に保存、そのままプロジェクタ１へ出力するモードであり、「複写」モードとは、記憶装置２３に保存されている画像データをプロジェクタ１へ出力するモードである。詳細は後述する。）
【００７１】
（保存処理  ―図６の説明）
一時保存フォルダ２１６へ保存されるように命令が入力されたことが確認されると（ステップＳＢ１＜画像保存工程＞）、まず、画像データサイズより、一時保存領域の中で十分に空き領域が確保出来るか判断し（ステップＳＢ２）、領域が足り無い場合は、自動的に古いデータから順番に削除され（ステップＳＢ６）、領域が確保され、データ保存が実行される（ステップＳＢ３）。その後、画像データ複写命令が来た場合は、その画像の複写フォルダへのコピーを実行する（ステップＳＢ４＜判断工程＞〜ＳＢ５＜選択保存工程＞）。
【００７２】
（複写処理  ―  図７の説明）
一方、図７は、一時保存した画像を複写する処理を示したフロチャートである。
書画装置３に原稿設置されたことがＰＣ２にて検知（ステップＳＣ１）されたあと、ＰＣ２内で処理された画像データをプロジェクタ１へ出力し（ステップＳＣ２）、表示モードが「現状」である場合には（ステップＳＣ３でＹＥＳ）、ユーザによる画像操作（具体的には、ここではポインタ上の「進む」「戻る」「拡大」「縮小」「現状画像」釦を示す。「アプリケーション切り替え」釦は対象外である。）が行われたときは、直ちに当該画像を、一時保存フォルダ２１６から複写フォルダ２１７へ、コピーする（ステップＳＣ４でＹＥＳ  →  ステップＳＣ１１〜ＳＣ１２）。
【００７３】
また、予め、同じ画像を表示し続けて一定の時間が経過したら、なにも操作していなくても、再表示する可能性のある必要な画像であると判断（ステップＳＣ２〜ＳＣ６  →  ステップＳＣ５でＹＥＳ  →  ステップＳＣ７  →  ステップＳＣ８でＹＥＳ）して、複写処理を行うようになっている。ユーザによる操作の無い状態、かつユーザが指定した一定時間（ステップＳＣ１３〜ＳＣ１５）を経過する前に画像を変更した状態においては、その画像は、再表示する可能性が低いと判断して、複写を行わないこととする（ステップＳＣ２〜ＳＣ６  →  ステップＳＣ５でＹＥＳ  →  ステップＳＣ７  →  ステップＳＣ８でＮＯ  →  ステップＳＣ９〜ＳＣ１０）。
【００７４】
また、後でやはりその画像を参照する必要が出た場合には、ＰＣ２よりアプリケーションを操作することにより、一時保存フォルダ２１６に残っているデータであれば、全て閲覧することが出来るようになっている。
【００７５】
又、一時保存のみを行い、選択保存を行う代わりに、判断工程に適合した撮影画像に識別情報を付加し＜選択識別工程＞、再表示時の意図した撮影画像の選択を容易にするという構成であっても構わない。このように構成することにより、同じ画像を２重に保存する必要が無くなる為、データ記憶容量を節約することが出来る。撮影画像に識別情報を付加した概念図を、図１０に示す。
一時保存フォルダ２１６Ｂの内部に撮影画像Ｇ１〜Ｇ１２が保存されている。その中で、判断工程に適合した撮影画像に識別情報Ｆが付加されている状態を示す。
【００７６】
（ポインタによる遠隔操作  ―  図８の説明）
一方、図８は、ポインタ４より、ＰＣ２へ遠隔操作信号を出力した場合のＰＣ２上での処理を示したフロチャートである。
【００７７】
「戻る」釦を押下した場合、ポインタより「戻る」コマンドがＰＣへ発信される（ステップＳＤ１〜ＳＤ２）。ＰＣ２はそれを受けて、表示モードがすでに「複写」である場合は一つ古い複写フォルダ２１７内画像を表示する（ステップＳＤ３  →  ステップＳＤ４でＹＥＳ  →  ステップＳＤ５  →  Ｃ）。そうでなければ表示モードを「複写」に設定、最新の複写フォルダ２１７内画像を表示する（ステップＳＤ３  →  ステップＳＤ４でＮＯ  →  ステップＳＤ９〜ステップＳＤ１０  →  Ｃ）。
【００７８】
「進む」釦を押下した場合、表示モードがすでに「複写」である場合は一つ新しい複写フォルダ２１７内画像を表示する（ステップＳＤ６〜ＳＤ８  →  ステップＳＤ１４でＹＥＳ  →  ステップＳＤ１５  →  Ｃ）。そうでなければ表示モードを「複写」に設定、最新の複写フォルダ２１７内画像を表示する（ステップＳＤ６〜ＳＤ８  →  ステップＳＤ１４でＮＯ  →  ステップＳＤ９〜ＳＤ１０  →  Ｃ）。
【００７９】
「拡大」釦を押下した場合、ＲＡＭ２２上の画像を、釦を押した回数に従い、徐々に拡大表示する。他の釦の押下を検出した段階で、元の倍率に戻す（ステップＳＤ１１〜ＳＤ１３）。
【００８０】
「縮小」釦を押下した場合、ＲＡＭ２２上の画像を、釦を押した回数に従い、徐々に縮小表示する。他の釦の押下を検出した段階で、元の倍率に戻す（ステップＳＤ１１〜ＳＤ１３）。
【００８１】
「現状画像」釦を押下した場合、表示モードが「現状」である場合はそのまま、そうでない場合は、「現状」モードに切り替え、ＲＡＭ２２上の現状の画像を表示する（ステップＳＤ１６〜ＳＤ２０  →  Ｄ）。
【００８２】
「アプリケーション切り替え」釦を押下した場合、起動中アプリケーション（本アプリケーション２１０を含む）の全ウィンドウに関して、アクティブウィンドウを切り替えると同時に、全画面表示することが出来る（ステップＳＤ２１〜ＳＤ２５）。また、図中に記入していないが、本ポインタ４はマウスと同等の機能も所有し、アプリケーションの遠隔操作も可能である。これにより、例えば、専用アプリケーション２１０を介して、画像データを表示しながらプレゼンテーションをしている際中に他のデータを表示する必要が出てきた場合には、ポインタ４付属のマウス機能を活用して、専用アプリケーション２１０を最小化し、必要データを起動することも可能となる。特に事前に必要データを起動しておくことにより、アプリケーション切り替え釦を押すだけで表示データの迅速な切り替えが可能となり、プレゼンテーションの進行を妨げることがない。複数のアプリケーションを立ち上げておいて、随時切り替えながらプレゼンテーションを行う必要がある時には、特に便利な釦である。
【００８３】
（第２実施例）
以下、本発明の第２の実施の形態を図に従って説明する。図９に示すシステム構成図は、本実施例による画像保存システムを含む撮像投映システムの構成図であり、ＰＣを介さず、書画装置と投影装置を直接接続出来るようになっている。
【００８４】
なお、第１実施例と比較して、ＰＣ２が無い以外、発明の概要は第１実施例と同等の構成として、説明を省略する。
【００８５】
本構成は、ＰＣ２が無いので、その処理をプロジェクタ１Ｂ内にて行っていることとする。よって、専用アプリケーションも、プロジェクタ１Ｂ内にて実行される。
プロジェクタ１Ｂ内には、実施例１のプロジェクタに加え、ＨＤＤを搭載しており、専用アプリケーション並びに一時保存フォルダ、複写フォルダが保存されている。
【００８６】
ここで一時保存フォルダと、複写フォルダは、プロジェクタ１ＢのＨＤＤ内にあるとしたが、一時保存フォルダと複写フォルダは、同じ記憶装置内に保存されている必要は無く、別々の記憶装置内に有っても良く、投影装置のＲＡＭ内や書画装置３Ｂ内にあっても良い。又、それとは別に構成された、例えば外付けＨＤＤや、インターネットを通じて接続されたファイルサーバの様な外部記憶装置内に有っても良い。又、本実施例においてプロジェクタ１Ｂに構成される記憶装置は図示したものに制限されず、例えばプロジェクタ１ＢにＳＤメモリカード、スマートメディア、コンパクトフラッシュ（登録商標）、メモリースティックの様な、カード形状の不揮発メモリを装着出来ても構わない。
【００８７】
ここで、ポインタＢよりの信号を受信する無線信号受信部は、第１実施例に従いプロジェクタ１Ｂ内にあるのが適当であるが、書画装置３Ｂ内、若しくはこれらより独立して別体に構成されていても構わない。
【００８８】
ここで機器は、ＲＧＢケーブル１００ＢとＵＳＢケーブル３００Ｂにより接続される構成としているが、ＵＳＢケーブル３００Ｂ１本で接続されても構わない。
【００８９】
なお、以上の実施形態では、画像保存の条件は時間であるとしているが、そうでなくても構わず、例えば釦を押下することによりユーザが保存を行うか選択できる構成であっても構わず、この例に限定されるものではない。
また、条件が時間により定まる時、時間は固定でも可変でも良く、使用者が設定しても良く、この例に限定されるものではない。
また、条件が釦・タッチパネル・各種センサ等の入力装置により定まる時、釦のON/OFF、押された回数、押している時間、組み合わせ等の条件を満たした時等のどれであっても良く、この例に限定されるものではない。
また、本入力装置は、当該装置もしくはシステムの何れに設置されていても良く、この例に限定されるものではない。
また、入力装置は、読取を実施するかを判断する目的にのみ設置されたものでなくとも良く、この例に限定されるものではない。
また、間違えて表示した画像は、通常の画像と区別されていれば、保存されても良く、この例に限定されるものではない。
【図面の簡単な説明】
【００９０】
【図１】第１実施例に係る画像投影システムを示すシステム構成図である。
【図２】本発明に係る画像投影システムの中、ポインタを除いた回路構成図である。
【図３】本発明に係る画像投影システムの中、書画装置の回路構成図である。
【図４】同システムにおける主として専用アプリケーションの内部を示す、機能ブロック図である。
【図５】画像の書画から投影に至るまでの処理の概略を示したフロチャートである。
【図６】画像の保存処理を示したフロチャートである。
【図７】一時保存した画像を複写する処理を示したフロチャートである。
【図８】ポインタより、ＰＣへ遠隔操作信号を出力した場合のＰＣ上での処理を示したフロチャートである。
【図９】第２実施例に係る画像投影システムを示すシステム構成図である。
【図１０】選択識別工程にて、撮影画像に識別情報を付加した状態を示す概念図である。
【符号の説明】
【００９１】
１  プロジェクタ
１Ｂ  プロジェクタ
２  ＰＣ
３  書画装置
３Ｂ  書画装置
４  レーザーポインタ（ポインタ）
４Ｂ  レーザーポインタ（ポインタ）
１１  ＣＰＵ
１２  ＲＯＭ
１３  ＲＡＭ
１４  画像入力部
１５  表示部
１６  キー入力部
１７  無線信号受信部
２１  ＣＰＵ
２２  ＲＡＭ
２３  記憶装置
２４  入力装置
２５  ビデオアダプタ
２６  ＶＲＡＭ
２７  表示装置
３１  ＣＣＤ
３２  ＤＳＰ（Digital  Signal  Processor）／ＣＰＵ
３３  ＴＧ（Timing  Generator）
３４  ＣＤＳ／ＡＧＣ／ＡＤ
３５  レンズ駆動部
３６  ＵＳＢ  Ｉ／Ｆ
３７  キー入力部
３８  液晶モニタ
３９  アドレス・データパス
４０  ＤＲＡＭ
４１  内蔵フラッシュメモリ
４２  外部機器接続コネクタ
１００  ＲＧＢケーブル
１００Ｂ  ＲＧＢケーブル
２００  ＵＳＢケーブル
３００  ＵＳＢケーブル
３００Ｂ  ＵＳＢケーブル
Ａ  書画原稿
ＡＢ  書画原稿
Ｆ  識別情報
Ｇ  撮影画像
Ｓ  スクリーン
ＳＢ  スクリーン
【図１】
2006129427.tif 000003
【図２】
2006129427.tif 000004
【図３】
2006129427.tif 000005
【図４】
2006129427.tif 000006
【図５】
2006129427.tif 000007
【図６】
2006129427.tif 000008
【図７】
2006129427.tif 000009
【図８】
2006129427.tif 000010
【図９】
2006129427.tif 000011
【図１０】
2006129427.tif 000012